(57)【要約】【課題】画像形成装置の周囲を舞う埃を速やかに低減する【解決手段】画像形成装置１は、空気清浄機３と通信する装置通信部１８と、空気中に埃が舞う要因となる埃イベントを検出する埃イベント検出部１９１と、埃イベント検出部１９１により埃イベントが検出された場合に、空気清浄機３に埃除去を要求する埃除去要求通知を装置通信部１８により送信する埃除去要求部１９２とを備えている。空気清浄機３は、画像形成装置１と通信する清浄機通信部３３と、空気清浄動作の空気清浄力の強さを複数段階に切り換える清浄動作制御部３５１とを備え、清浄動作制御部３５１は、清浄機通信部３３により埃除去要求通知を受信した場合に、空気清浄力が強化される方向に切り換える。【選択図】図２
2019120743.tif 000002
【特許請求の範囲】
【請求項１】
画像形成動作を実行する画像形成装置と空気清浄動作を実行する空気清浄機とを備えた画像形成システムであって、
前記画像形成装置は、
前記空気清浄機と通信する装置通信部と、
空気中に埃が舞う要因となる埃イベントを検出する埃イベント検出部と、
前記埃イベント検出部により前記埃イベントが検出された場合に、前記空気清浄機に埃除去を要求する埃除去要求通知を前記装置通信部により送信する埃除去要求部とを備え、
前記空気清浄機は、
前記画像形成装置と通信する清浄機通信部と、
前記空気清浄動作の空気清浄力の強さを複数段階に切り換える清浄動作制御部とを備え、
前記清浄動作制御部は、
前記清浄機通信部により前記埃除去要求通知を受信した場合に、前記空気清浄力が強化される方向に切り換える
ことを特徴とする画像形成システム。
【請求項２】
前記画像形成装置は、
筐体に形成された可動部の開閉を検出する複数の開閉検出センサーを備え、
前記埃イベント検出部は、
前記開閉検出センサーにより前記可動部が開いたことが検出された場合に、前記埃イベントとして検出する
ことを特徴とする請求項１に記載の画像形成システム。
【請求項３】
前記開閉検出センサーは、
メンテナンスに使用されるカバーの開閉を検出する位置に設けられている
ことを特徴とする請求項２に記載の画像形成システム。
【請求項４】
前記開閉検出センサーは、
記録紙を収納する給紙カセットの開閉を検出する位置に設けられている
ことを特徴とする請求項２又は３に記載の画像形成システム。
【請求項５】
前記埃イベント検出部は、
前記画像形成動作を実行させる印刷指示があった場合に、前記埃イベントとして検出する
ことを特徴とする請求項１から４までのいずれか１項に記載の画像形成システム。
【請求項６】
前記空気清浄機は、
埃の量を検出する埃検出センサーと、
前記埃除去要求通知に基づいて前記空気清浄力が強化されてから特定時間経過後に、前記埃検出センサーにより検出された埃の量が特定閾値以上である場合に、前記清浄機通信部により前記画像形成装置に埃異常通知を送信する異常通知部とを備え、
前記画像形成装置は、
前記空気清浄機から前記埃異常通知を受信した場合に、サービスマンに埃の量が異常であることを報知する異常報知部を備えた
ことを特徴とする請求項１から５までのいずれか１項に記載の画像形成システム。
【請求項７】
前記異常通知部は、
前記埃除去要求通知に関係のない前記空気清浄動作中に、前記埃検出センサーによって検出された埃の量が前記特定閾値以上であっても、前記画像形成装置に前記埃異常通知を送信しない
ことを特徴とする請求項６に記載の画像形成システム。
【請求項８】
前記清浄動作制御部は、
前記埃除去要求通知に基づいて前記空気清浄力を強化開始したときの前記埃検出センサーによって検出された埃の量に対して、前記空気清浄力を強化させてから前記特定時間経過前に前記埃検出センサーによって検出された埃の量が増加していなかった場合、前記空気清浄力の強化を中止する
ことを特徴とする請求項６又は７に記載の画像形成システム。
【請求項９】
前記清浄動作制御部は、
前記埃除去要求通知に基づいて前記空気清浄力が強化されてから特定時間経過後に、前記埃検出センサーにより検出された埃の量が特定閾値以上である場合に、前記空気清浄力を強化する時間を延長し、
前記異常通知部は、
前記清浄動作制御部により延長された前記空気清浄力を強化する時間の終了後に前記埃検出センサーにより検出された埃の量が特定閾値以上である場合に、前記清浄機通信部により前記画像形成装置に埃異常通知を送信する
ことを特徴とする請求項６から８までのいずれか１項に記載の画像形成システム。
【発明の詳細な説明】
【技術分野】
【０００１】
本発明は、画像形成装置と空気清浄機とを備えた画像形成システムに関する。
【背景技術】
【０００２】
従来、画像形成装置に空気清浄機を一体に取り付けて、画像形成装置の電源オン／オフに連動して、空気清浄機の空気清浄動作をオン／オフに制御する技術が提案されている（例えば、特許文献１を参照）。
【先行技術文献】
【特許文献】
【０００３】
【特許文献１】特開２０１１−２７９３０号公報
【発明の概要】
【発明が解決しようとする課題】
【０００４】
しかしながら、従来技術では、画像形成装置を使用した場合に、画像形成装置の周囲を埃が舞っていても、空気清浄機が埃を検出して空気清浄力を強化するまで埃が低減されなかったという問題があった。
【０００５】
本発明は上記課題に鑑みてなされたものであり、画像形成装置の周囲を舞う埃を速やかに低減することができる技術を提供することを目的とする。
【課題を解決するための手段】
【０００６】
本発明の画像形成システムは、画像形成動作を実行する画像形成装置と空気清浄動作を実行する空気清浄機とを備えた画像形成システムであって、前記画像形成装置は、前記空気清浄機と通信する装置通信部と、空気中に埃が舞う要因となる埃イベントを検出する埃イベント検出部と、前記埃イベント検出部により前記埃イベントが検出された場合に、前記空気清浄機に埃除去を要求する埃除去要求通知を前記装置通信部により送信する埃除去要求部とを備え、前記空気清浄機は、前記画像形成装置と通信する清浄機通信部と、前記空気清浄動作の空気清浄力の強さを複数段階に切り換える清浄動作制御部とを備え、前記清浄動作制御部は、前記清浄機通信部により前記埃除去要求通知を受信した場合に、前記空気清浄力が強化される方向に切り換えることを特徴とする。
また、前記画像形成装置は、筐体に形成された可動部の開閉を検出する複数の開閉検出センサーを備え、前記埃イベント検出部は、前記開閉検出センサーにより前記可動部が開いたことが検出された場合に、前記埃イベントとして検出してもよい。
また、前記開閉検出センサーは、メンテナンスに使用されるカバーの開閉を検出する位置に設けられていてもよい。
また、前記開閉検出センサーは、記録紙を収納する給紙カセットの開閉を検出する位置に設けられていてもよい。
また、前記埃イベント検出部は、前記画像形成動作を実行させる印刷指示があった場合に、前記埃イベントとして検出してもよい。
また、前記空気清浄機は、埃の量を検出する埃検出センサーと、前記埃除去要求通知に基づいて前記空気清浄力が強化されてから特定時間経過後に、前記埃検出センサーにより検出された埃の量が特定閾値以上である場合に、前記清浄機通信部により前記画像形成装置に埃異常通知を送信する異常通知部とを備え、前記画像形成装置は、前記空気清浄機から前記埃異常通知を受信した場合に、サービスマンに埃の量が異常であることを報知する異常報知部を備えてもよい。
また、前記異常通知部は、前記埃除去要求通知に関係のない前記空気清浄動作中に、前記埃検出センサーによって検出された埃の量が前記特定閾値以上であっても、前記画像形成装置に前記埃異常通知を送信しなくてもよい。
また、前記清浄動作制御部は、前記埃除去要求通知に基づいて前記空気清浄力を強化開始したときの前記埃検出センサーによって検出された埃の量に対して、前記空気清浄力を強化させてから前記特定時間経過前に前記埃検出センサーによって検出された埃の量が増加していなかった場合、前記空気清浄力の強化を中止してもよい。
また、前記清浄動作制御部は、前記埃除去要求通知に基づいて前記空気清浄力が強化されてから特定時間経過後に、前記埃検出センサーにより検出された埃の量が特定閾値以上である場合に、前記空気清浄力を強化する時間を延長し、前記異常通知部は、前記清浄動作制御部により延長された前記空気清浄力を強化する時間の終了後に前記埃検出センサーにより検出された埃の量が特定閾値以上である場合に、前記清浄機通信部により前記画像形成装置に埃異常通知を送信してもよい。
【発明の効果】
【０００７】
本発明によれば、画像形成装置の周囲を舞う埃を速やかに低減することができる。
【図面の簡単な説明】
【０００８】
【図１】本発明に係る実施の形態の画像形成システムのシステム構成図である。
【図２】図１に示す画像形成システムの概略構成図である。
【図３】図２に示す画像形成システムの空気清浄動作の流れを示すフローチャートである。
【発明を実施するための形態】
【０００９】
以下、図を参照して本発明の実施の形態を詳細に説明する。なお、以下の実施の形態において、同様の機能を示す構成には、同一の符号を付してある。
【００１０】
図１に示すように、本実施の形態の画像形成システム１００は、同一部屋内に設置された画像形成装置１と空気清浄機３とを備えている。画像形成装置１は、プリンターや複合機等であり、電子写真方式やインクジェット方式等を用いて画像を記録紙に記録する。以下では、画像形成装置１が、電子写真方式の複合機である場合を例に説明する。
【００１１】
図２に示すように、画像形成装置１は、複合機であり、操作部１１と、原稿読取部１３と、記憶部１４と、画像処理部１５と、印刷部１６と、ファクス部と、複数の開閉検出センサー１７と、装置通信部１８と、制御部１９とを備えている。
【００１２】
操作部１１は、表示部と操作ボタンが設けられている。ユーザーは操作部１１を操作して指示を入力することで、画像形成装置１の各種の設定を行い、画像形成等の各種機能を実行させる。表示部は、画像形成装置１の状態を表示したり、画像形成状況や印刷部数を表示したり、タッチパネルとして、両面印刷や白黒反転等の機能や倍率設定、濃度設定など各種設定を行えるようになっている。操作ボタンとしては、スキャン動作や画像形成の開始を指示するスタートボタン、スキャン動作や画像形成の中止を指示するストップボタン、画像形成装置１の各種設定をデフォルト状態にする際に使用するリセットボタン等が設けられている。
【００１３】
原稿給送部１２は、ＡＤＦ（Auto Document Feeder）であり、原稿載置トレイ１２１にセットされた原稿を１枚ずつ順に繰り出して、原稿読取部１３に給紙する機能を有する。
【００１４】
原稿読取部１３は、原稿給送部１２により給紙されてきた原稿や、ユーザーによってプラテンガラスに載置された原稿に対して光を照射し、その反射光等を受光して原稿画像を読み取るスキャナーである。
【００１５】
記憶部１４は、半導体メモリーやＨＤＤ（Hard Disk Drive）等の記憶手段であり、原稿読取部１３によって読み取られた画像データや、装置通信部１８によって受信された画像データが蓄積される記憶手段である。また、記憶部１４には、各種の管理情報が記憶されている。
【００１６】
画像処理部１５は、画像データに対して所定の画像処理を行う手段である。画像処理部１５では、例えば、拡大縮小処理や、濃度調整、階調調整等の画像処理が行われる。
【００１７】
印刷部１６は、記憶部１４に記憶された画像データに基づいて印刷する印刷手段である。印刷部１６は、例えば、記憶部１４から読み出した画像データに基づき感光体ドラムの表面に潜像を形成し、トナーによってその潜像をトナー像とする画像形成を行い、その感光体ドラムから記録紙にトナー像を転写させ、そのトナー像を定着部によって記録紙に定着させて排紙する。印刷部１６が画像形成動作を実行することにより、記録紙の搬送や、トナーの粉塵、装置内部の空気を排気する不図示のファンの駆動、摩耗等によって、埃が空気中に舞う要因となる。
【００１８】
複数の開閉検出センサー１７は、マイクロスイッチ等で構成され、画像形成装置１の筐体に形成されたカバー等の開閉可能な可動部の開閉を検出する機能を有する。可動部が開くことで、画像形成装置１に積もった埃が空気中に舞う要因となる。
【００１９】
例えば、開閉検出センサー１７は、図１に示すように、トナー交換や廃トナー交換等を行うためのメンテナンスカバー４１の開閉、手差しトレイ４２の開閉、記録紙が収納される給紙カセット４３の開閉や、原稿給送部１２の開閉を検出する位置にそれぞれ設けられている。なお、原稿給送部１２は、プラテンガラスの原稿載置面を開閉する原稿台カバーとして機能しており、上方に開くことでプラテンガラスの上面が開放され、プラテンガラスに原稿をセットできる状態になる。
【００２０】
装置通信部１８は、ＬＡＮ（Local Area Network）等のネットワーク２を介して外部端末から印刷対象の画像データを受信したり、空気清浄機３との間で各種データを送受信したりする機能を有する。
【００２１】
なお、画像形成装置１と空気清浄機３とは、ＬＡＮ等のネットワーク２に限らず、インターネットを介して通信してもよいし、Ｗｉ-Ｆｉ（登録商標）やＢｌｕｅｔｏｏｔｈ（登録商標）等の無線通信を介して通信してもよい。
【００２２】
制御部１９は、操作部１１、原稿給送部１２、原稿読取部１３、記憶部１４、画像処理部１５、印刷部１６、開閉検出センサー１７及び装置通信部１８にそれぞれ接続されている。制御部１９は、ＣＰＵ（Central Processing Unit）、ＲＯＭ（Read Only Memory）、ＲＡＭ（Random Access Memory）等を備えたマイクロコンピュータ等の情報処理部である。ＲＯＭには画像形成装置１の動作制御を行うための制御プログラムが記憶されている。制御部１９は、ＲＯＭに記憶されている制御プログラムを読み出し、制御プログラムをＲＡＭに展開させて実行することで、画像形成装置１全体を制御する。また、制御部１９は、埃イベント検出部１９１と、埃除去要求部１９２と、異常報知部１９３として機能する。
【００２３】
埃イベント検出部１９１は、画像形成装置１の装置状態を監視して、空気中に埃が舞う要因となる埃イベントを検出する機能を有する。例えば、埃イベント検出部１９１は、開閉検出センサー１７により画像形成装置１の可動部が開いたことが検出された場合や、操作部１１又は装置通信部１８を介して印刷指示を受け付けた場合を、埃イベントとしてそれぞれ検出してもよい。画像形成装置１の装置状態が変わることにより、空気中に埃が舞う可能性があるからである。
【００２４】
また、埃イベント検出部１９１は、画像形成装置１が第１特定期間使用されなかった場合、開閉検出センサー１７により可動部が開いたことが第２特定期間検出されなかった場合を、埃イベントとしてそれぞれ検出してもよい。画像形成装置１に埃が溜まっている可能性があるからである。第１特定期間と第２特定期間は、同一であっても良いし、異なっても良い。
【００２５】
埃除去要求部１９２は、埃イベント検出部１９１によって埃イベントが検出されると、装置通信部１８を介して空気清浄機３に埃除去を要求する埃除去要求通知を送信する機能を有する。
【００２６】
異常報知部１９３は、装置通信部１８を介して、埃除去要求通知の送信後に空気清浄機３から埃異常通知を受信した場合に、埃量が異常であることを操作部１１に表示したり、装置通信部１８を介してサービスマン宛にネットワーク２経由で通知したりして、報知する埃異常処理を実行する機能を有する。また、異常報知部１９３は、埃異常通知を受信した場合に、埃異常処理として印刷部１６の画像形成動作を停止させてもよい。画像形成装置１の故障前に埃量が増える場合があるからである。
【００２７】
空気清浄機３は、操作部３１と、埃検出センサー３２と、清浄機通信部３３と、空気清浄部３４と、制御部３５とを備えている。
【００２８】
操作部３１は、表示部と操作ボタンを備えたユーザーインターフェイスである。ユーザーは、操作部３１を介して、空気清浄機３の空気清浄力の強さを「弱」、「中」、「強」等に切り換えることができる。
【００２９】
埃検出センサー３２は、光学式センサー等であり、不図示のファンによって空気清浄機３の内部に吸入された空気中の埃の量を検出する機能を有する。
【００３０】
清浄機通信部３３は、ＬＡＮ等のネットワーク２を介して、画像形成装置１との間で各種データを送受信する機能を有する。
【００３１】
空気清浄部３４は、空気を吸入するためのファンや、ファンによって吸入された空気を濾過するフィルター、空気中の浮遊物質を帯電させるためのイオン発生器等を備え、空気中の埃を除去する機能を有する。
【００３２】
制御部３５は、ＣＰＵ、ＲＯＭ、ＲＡＭ等を備えたマイクロコンピュータ等の情報処理部である。ＲＯＭには空気清浄機３の動作制御を行うための制御プログラムが記憶されている。制御部３５は、ＲＯＭに記憶されている制御プログラムを読み出し、制御プログラムをＲＡＭに展開させて実行することで、空気清浄機３全体を制御する。また、制御部３５は、清浄動作制御部３５１と、異常通知部３５２として機能する。
【００３３】
清浄動作制御部３５１は、操作部３１により受け付けられた操作指示や、清浄機通信部３３により画像形成装置１から受信した埃除去要求通知、埃検出センサー３２により検出された埃レベル等に基づいて、空気清浄部３４の空気清浄力の強さを制御する機能を有する。例えば、清浄動作制御部３５１は、操作部３１を介して選択された空気清浄力の強さ「弱」、「中」、「強」に応じて、空気清浄部３４に対してファンの風量をそれぞれ「弱」、「中」、「強」に切り換えるように制御してもよい。また、清浄動作制御部３５１は、埃検出センサー３２によって検出された空気中の埃の量が多い（特定レベル以上）場合や、画像形成装置１から埃除去要求通知を取得した場合に、強制的に空気清浄部３４の空気清浄力を特定時間強化する方向に切り換えてもよい。例えば、清浄動作制御部３５１は、少なくとも空気清浄部３４に対してファンの風量を特定時間「強」に切り換えて制御してもよい。
【００３４】
なお、以下では、空気清浄部３４が、ユーザーによって操作部３１を介して選択された空気清浄力の強さで運転する場合を「通常モード」とし、埃検出センサー３２が検出した埃量が特定レベル以上の場合や、画像形成装置１から埃除去要求通知が送信された場合に、空気清浄部３４が空気清浄力の強さを「強」に切り換えて運転する場合を「強モード」として説明する。
【００３５】
異常通知部３５２は、空気清浄部３４が特定時間「強モード」で運転した後に、埃検出センサー３２によって検出された埃の量が特定閾値以上（特定レベル以上）の場合に、異常として検出し、清浄機通信部３３により埃異常通知を画像形成装置１に送信する機能を有する。埃検出センサー３２が検出した埃量が特定レベル以上であったために、空気清浄部３４が「強モード」で特定時間運転した場合、すなわち、埃異常通知に関係なく「強モード」に切り換わったのではない場合、「強モード」の運転後に異常通知部３５２が異常を検出しても、画像形成装置１に埃異常通知は送信されない。異常通知部３５２は、異常を検出した場合、操作部３１のＬＥＤ表示等によりその旨を報知してもよい。
【００３６】
次に、図３を参照して画像形成装置１と空気清浄機３とが連携して空気清浄動作を行う処理の流れを説明する。
【００３７】
空気清浄機３は、通常モードで運転している（ｓ１１）。つづいて、画像形成装置１の埃イベント検出部１９１は、開閉検出センサー１７によって、可動部が開いたことが検出されたか否かを判断する（ｓ１２）。埃イベント検出部１９１は、開閉検出センサー１７を介して可動部が開いたことを検出した場合（ｓ１２：Ｙｅｓ）、埃イベントとして検出し、ｓ１５に処理を進める。
【００３８】
一方、埃イベント検出部１９１は、画像形成装置１が待機中か否かを判断し（ｓ１３）、待機中の場合（ｓ１３：Ｙｅｓ）、埃イベントが検出されないので、ｓ１２に処理を戻す。
【００３９】
画像形成装置１が待機中でない場合（ｓ１３：Ｎｏ）、埃イベント検出部１９１は、操作部１１や装置通信部１８を介して印刷指示があったか否かを判断する（ｓ１４）。例えば、埃イベント検出部１９１は、操作部１１に表示された印刷設定を受け付ける印刷設定画面に入力がされた段階で（印刷実行ボタンを押される前に）、印刷指示があったと判断してもよい。印刷部１６による画像形成動作の実行前に空気清浄機３の空気清浄力を高めるためである。また、画像形成装置１がＦＡＸ機能を備えている場合、装置通信部１８によりファクシミリ受信がされた場合も、埃イベント検出部１９１は、印刷指示があったと判断してもよい。受信したファクシミリデータが印刷部１６により印刷されるからである。印刷指示がない場合（ｓ１４：Ｎｏ）、ｓ１２に処理が戻る。
【００４０】
印刷指示があった場合（ｓ１４：Ｙｅｓ）、埃イベント検出部１９１により埃イベントとして検出され、埃除去要求部１９２が埃除去要求通知を装置通信部１８により空気清浄機３に送信する（ｓ１５）。
【００４１】
空気清浄機３の清浄動作制御部３５１は、画像形成装置１からの埃除去要求通知を清浄機通信部３３により受信すると、空気清浄部３４を「強モード」で運転させる（ｓ１６）。つづいて、清浄動作制御部３５１は、空気清浄部３４を「強モード」で運転させたまま、特定時間が経過するまで待機する（ｓ１７、ｓ１７：Ｎｏ）。
【００４２】
特定時間が経過すると（ｓ１７：Ｙｅｓ）、清浄動作制御部３５１は、埃検出センサー３２を介して埃レベルが正常であるか否かを判断する（ｓ１８）。埃レベルが正常の場合（ｓ１８：Ｙｅｓ）、清浄動作制御部３５１は、空気清浄部３４の運転モードを「通常モード」に戻し（ｓ１９）、本処理を終了する。
【００４３】
一方、埃レベルが正常でない場合（ｓ１８：Ｎｏ）、異常通知部３５２によって異常として検出され、清浄機通信部３３を介して埃異常通知が画像形成装置１に送信される（ｓ２０）。画像形成装置１の異常報知部１９３は、装置通信部１８により埃異常通知を受信すると、埃量が異常であることを操作部１１に表示したり、サービスマンに通知したり、印刷部１６の画像形成動作を停止させたりする埃異常処理を実行し（ｓ２１）、本処理を終了する。
【００４４】
上記処理が、画像形成装置１及び空気清浄機３が電源オンしている間、繰り返される。
【００４５】
このように、本実施の形態の画像形成システム１００は、画像形成動作を実行する画像形成装置１と空気清浄動作を実行する空気清浄機３とを備えた画像形成システム１００であって、画像形成装置１は、空気清浄機３と通信する装置通信部１８と、空気中に埃が舞う要因となる埃イベントを検出する埃イベント検出部１９１と、埃イベント検出部１９１により埃イベントが検出された場合に、空気清浄機３に埃除去を要求する埃除去要求通知を装置通信部１８により送信する埃除去要求部１９２とを備え、空気清浄機３は、画像形成装置１と通信する清浄機通信部３３と、空気清浄動作の空気清浄力の強さを複数段階に切り換える清浄動作制御部３５１とを備え、清浄動作制御部３５１は、清浄機通信部３３により埃除去要求通知を受信した場合に、空気清浄力が強化される方向に切り換えることを特徴とする。これにより、埃イベント検出部１９１により埃イベントを検出することで、画像形成装置１によって埃が空気中に舞う可能性を予測して、空気清浄機３の埃検出センサー３２によって埃が検出される前に、空気清浄機３の空気清浄力を高めることができる。したがって、迅速に画像形成装置１の周囲を舞う埃を低減させることができる。
【００４６】
なお、上記実施形態では、異常通知部３５２は、埃除去要求通知をトリガーとして空気清浄部３４が「強モード」で特定時間運転した後に、埃検出センサー３２によって検出された埃の量が特定閾値以上だった場合、直ぐに画像形成装置１に埃異常通知を送信したが、これに限らない。
【００４７】
例えば、清浄動作制御部３５１は、埃除去要求通知をトリガーとして空気清浄部３４を「強モード」に切り換えて運転開始させたときに、埃検出センサー３２から運転開始時の埃の量を取得してもよい。そして、清浄動作制御部３５１は、「強モード」運転中に埃検出センサー３２によって検出された埃の量が運転開始時に検出された埃の量から増加していない場合に、空気清浄部３４の「強モード」運転を中止して、特定時間経過前に「通常モード」に戻しても良い。一方で、空気清浄部３４が「強モード」運転中に埃検出センサー３２によって検出された埃の量が運転開始時に検出された埃の量から増加した場合には、清浄動作制御部３５１は、特定時間経過するまで空気清浄部３４を「強モード」で運転させればよい。
【００４８】
また、清浄動作制御部３５１は、埃除去要求通知をトリガーとして、空気清浄部３４を「強モード」で特定時間運転した後に、埃検出センサー３２によって検出された埃の量が正常レベル（特定閾値未満）に戻らない場合、「強モード」で空気清浄部３４を運転する時間を延長してもよい。そして、延長された時間の終了後も、埃検出センサー３２によって検出される埃の量が正常レベルに戻らない場合に、異常通知部３５２は、画像形成装置１に埃異常通知を送信するようにしてもよい。
【００４９】
本発明は上述した実施の形態に限定されるものではなく、本発明の趣旨を逸脱しない範囲で種々様々に変更が可能であることは言うまでもない。
【符号の説明】
【００５０】
１  画像形成装置
２  ネットワーク
３  空気清浄機
１１  操作部
１２  原稿給送部
１３  原稿読取部
１４  記憶部
１５  画像処理部
１６  印刷部
１７  開閉検出センサー
１８  装置通信部
１９  制御部
３１  操作部
３２  埃検出センサー
３３  清浄機通信部
３４  空気清浄部
３５  制御部
４１  メンテナンスカバー
４２  手差しトレイ
４３  給紙カセット
１００  画像形成システム
１２１  原稿載置トレイ
１９１  埃イベント検出部
１９２  埃除去要求部
１９３  異常報知部
３５１  清浄動作制御部
３５２  異常通知部
【図１】
2019120743.tif 000003
【図２】
2019120743.tif 000004
【図３】
2019120743.tif 000005